(57)【特許請求の範囲】
【請求項１】
金属薄膜を形成したポリエステル系繊維の平箔糸を芯糸とし、この芯糸にポリアミド系繊維糸を絡ませて、かさ高性を付与してなる加工糸と、この加工糸と交錯するポリエステル系繊維糸とによって織成したことを特徴とする蓄熱保温性を有する織地。
【請求項２】
金属薄膜を形成したポリエステル系繊維の平箔糸を芯糸とし、この芯糸にポリアミド系繊維糸を絡ませて、かさ高性を付与してなる加工糸と、この加工糸と交錯する絹糸とによって織成したことを特徴とする蓄熱保温性を有する織地。
【発明の詳細な説明】
【０００１】
【発明の属する技術分野】
本発明は、蓄熱保温性を有する織地に係り、詳しくは、織地に不動空気層を形成して熱の透過防止機能を付与するとともに、身体から放出される輻射熱を織地に織り込んだ金属箔により身体側に反射させて外部に逃さないようにし、寒い冬の日や雨の日など、外気温が低い時でも、保健上最適の蓄熱保温性を持続させることができる蓄熱保温性を有する織地に関するものである。
【０００２】
【従来の技術】
成熟産業と位置ずけられてきた繊維産業も、近年では新合繊ブームを契機として快適性の追求、その他新しい機能が付与された繊維の技術開発が進み、機能性繊維の用途開発も展開されている。
【０００３】
ところで、繊維製品に対する快適性の一つの要素である機能性に対する消費者のニーズは益々多様化する傾向にあるが、とりわけ保温性に関する要求は常に上位にランクされており、技術開発もこの分野がめざましい。現在展開されている開発の方向性としては、
▲１▼  生地に熱の透過防止加工を施し、放射による熱損失を防止する保温素材の開発、
▲２▼  光エネルギーを熱エネルギーに交換する物質を繊維に応用して、蓄熱保温性を有する繊維素材の開発
に集約することができる。
【０００４】
前者に属するものとしては、例えば、遠赤外線を放出するセラミック粒子をポリエステル系繊維に練りこみ、使用中に身体を温める蓄熱タイプのものが開発されており、布団綿、肩パッド、靴下などに用いられている。
また、後者に属するものとしては、例えば、炭化ジルコニウム系セラミック粒子をポリアミド系繊維に封じ込め、同粒子がもつ太陽光を熱エネルギーに変換する機能と身体からの輻射熱を蓄熱する機能とを備えたものが開発されており、ウインドブレーカーなどに用いられている。
更に後者に属するものとして、硫化銅を化学結合させたアクリル短繊維と、これにポリエステル短繊維を組み合わせて、光を熱エネルギーに変換し、体熱を吸収して蓄熱保温するものが開発されており、タイツ、ソックス、肌着、パジャマなどに用いられている。
【０００５】
しかしながら、上記のようなものは、いずれもセラミック粒子を繊維に練り込んだり、封じ込めたり、化学結合させたりするための特殊な工程と設備がなければ保温素材が製造できない許りでなく、製造された保温素材には身体から放出される輻射熱の反射機能が全くないため、輻射熱が外部に逃げて蓄熱性能が低下し、予期した保温性を持続させることができない不具合がある。
【０００６】
【発明が解決しようとする課題】
本発明は上記のような実状に鑑み、全く新しい構想に基いて創案されたものであって、その意図するところは、保温素材を製造するにあたり、格別、特殊な工程や設備を必要とすることなく、単に織成手段を用いるのみで、織成された織地に不動空気層を形成して熱の透過防止機能を付与できるとともに、身体から放出される輻射熱を織地に織り込んだ金属箔により身体側に反射させて外部に逃さないように蓄熱して、保温性を持続させることができる蓄熱保温性を有する織地を提供することを課題とするものである。
【０００７】
【課題を解決するための手段】
上記課題を解決するため、本発明が採用した第１の技術手段は、金属薄膜を形成したポリエステル系繊維の平箔糸を芯糸とし、この芯糸にポリアミド系繊維糸を絡ませて、かさ高性を付与してなる加工糸とこの加工糸と交錯するポリエステル系繊維糸とによって織成したことを特徴とするものである。
【０００８】
本発明が採用した第２の技術手段は、金属薄膜を形成したポリエステル系繊維の平箔糸を芯糸とし、この芯糸にポリアミド系繊維糸を絡ませて、かさ高性を付与してなる加工糸と、この加工糸と交錯する絹糸とによって織成したことを特徴とするものである。
【０００９】
【発明の実施の形態】
本発明の実施の形態を添付図面に基いて詳細に説明する。図１は本発明の第１実施形態の織地を示すものであって、このものは、金属薄膜を形成したポリエステル系繊維の平箔糸を芯糸１とし、この芯糸１は図２に示すようにポリアミド系繊維糸（ナイロン糸）２を絡ませて、かさ高性を付与することにより不動空気層を形成し、かつ織地の補強を兼ねる加工糸３に形成されている。
金属薄膜は、金・銀・銅・ダングステン・アルミニウムなど、熱伝導率の高いものであればよいが、本実施例ではアルミニウムを使用し、形成手段として芯糸１にアルミニウムを蒸着して金属薄膜を形成した。また、加工糸３の形成に使用されたナイロン糸２は１５Ｄのものを２本使用し、一方、芯糸１および製織時に加工糸３と交錯するポリエステル系繊維糸４は１１０Ｄのものを使用した。
【００１０】
なお、合成繊維は断面形状が円形で、滑らかな側面を持っているが、かさ高性を付与するためにナイロン糸２を絡ませた芯糸１は、平箔糸に形成されているので、かさ高性を一層増大させることができる。また、図１に示す織地は加工糸３を緯糸とし、これと交錯するポリエステル系繊維糸４を経糸として平織に織成したものであるが、組織は平織に限定されるものではなく、緯糸と経糸も使い勝手は自由である。
【００１１】
図３は本発明の第２実施形態の織地を示すものであって、このものは、第１実施形態で示した加工糸３を緯糸とし、保温性の高い絹糸５を経糸として平織に織成したものである。絹糸５の断面形状は丸味のある三角形であるため、かさ高性を付与させた加工糸３と相俟って、かさ高性をより一層増大させることができる。なお、絹糸５は８５Ｄの撚糸を使用し、また、この場合も組織は平織に限定されるものではなく、緯糸と経糸の使い勝手も自由である。
【００１２】
叙上のように構成した織地において、例えば、これを就寝時にシーツや上掛けに使用したとすれば、身体から放出される輻射熱がアルミニウムを蒸着した芯糸１に伝導し、身体とシーツとの間の空気や身体と上掛けとの間の空気が徐々に温められるが、輻射熱は芯糸１の金属膜により身体側に反射されて蓄熱されるので、身体の隅々まで万遍なく温められる。
そのうえ、織地には芯糸１にナイロン糸２を絡ませて、かさ高性が付与されており、また絹糸５を使用した場合にも、かさ高性が付与されているので、当該部分には不動空気層が形成され、したがって、輻射熱によって温められた空気は外部に逃げることなく蓄熱されて、寒い冬の日や雨の日など外気温が低い時には、最適の保温性を持続させることができる。その結果、血流がよくなり、疲労を和らげるなどのリラックス効果も得られる。
【００１３】
なお、上記実施例では、就寝時に使用するシーツや上掛けについて説明したが、本発明に係る織地は、防寒用として使用または着用され、かつ繊維製品として加工可能なものであれば、その用途開発には限定がなく、例えば、登山用テント、寝袋、防寒靴の裏地、手袋、腰のサポーター、ソックス、布団の外皮、パジャマ、その他の繊維製品に展開することができる。
【００１４】
【発明の効果】
以上の説明によって明らかなように、本発明によれば、保温素材を製造するにあたり、従来のように格別、特殊な工程や設備を必要とすることなく、単に織成手段を用いるのみで、織成された織地に不動空気層を形成して熱の透過防止機能を付与することができるとともに、身体から放出される輻射熱を織地に織り込んだ芯糸の金属膜で身体側に反射させ、外部に逃がさないように蓄熱して保温性を持続させることができ、防寒用繊維製品として、多様化する消費者のニーズに応えることができる。
【図面の簡単な説明】
【図１】第１の実施形態を示す織地の要部拡大表面図
【図２】加工糸の拡大正面図
【図３】第２の実施形態を示す織地の要部拡大表面図
【符号の説明】
１  ポリエステル系繊維糸からなる芯糸
２  ナイロン糸
３  加工糸
４  加工糸と交錯するポリエステル系繊維糸
５  加工糸と交錯する絹糸
【図１】
0003614336.tif 000002
【図２】
0003614336.tif 000003
【図３】
0003614336.tif 000004